(57)【要約】【課題】照明装置の水濡れの危険がなく、照明装置により下方のカウンタートップを均一に照らすことができ、照明装置が配設されていても圧迫感を与えることのない収納装置を提供すること。【解決手段】下方に開口する箱体に対して昇降自在とされ、上昇により箱体内部に収納される水切り棚１４を備え、水切り棚は底部に排水部１６を有し、排水部に水受けトレー１７が前方に引き出し自在に設けられた収納装置において、排水部の水切りに関与しないスペースに下方を照らす照明装置９が内蔵される。【選択図】図１
2007167398.tif 000002
【特許請求の範囲】
【請求項１】
下方に開口する箱体に対して昇降自在とされ、上昇により箱体内部に収納される水切り棚を備え、水切り棚は底部に排水部を有し、排水部に水受けトレーが前方に引き出し自在に設けられた収納装置において、排水部の水切りに関与しないスペースに下方を照らす照明装置が内蔵されていることを特徴とする収納装置。
【請求項２】
照明装置はスポット照明装置であり、その複数が排水部に組み込まれている請求項１記載の収納装置。
【請求項３】
スポット照明装置はＬＥＤ照明装置である請求項２記載の収納装置。
【発明の詳細な説明】
【技術分野】
【０００１】
本願発明は、厨房装置、洗面化粧台などの上方に設置される、水切り棚を昇降自在に備えた照明付の収納装置に関する。
【背景技術】
【０００２】
厨房装置、洗面化粧台などの上方に設置される吊戸棚などの収納装置について、調理や洗面などの諸作業を行う際に手暗がりとなりがちなカウンタートップを明るく照らし出す照明装置が種々提案されている（たとえば特許文献１）。
【０００３】
特許文献１には、吊戸棚の底板のほぼ全体を覆うように取り付けられる照明装置が記載され、この照明装置は、吊戸棚の奥行き寸法より小さい奥行き寸法を有する照明装置本体と、照明装置の奥行き寸法を調整するための調整部材とを備え、調整部材を照明装置本体に対して格納可能にしている。吊戸棚の底板の前寄り位置や後寄り位置に障害物がある場合にも、照明装置は吊戸棚の底板のほぼ全体を覆うように取り付けられ、様々な種類の吊戸棚に対して取り付け調整が可能である。
【特許文献１】特開２００４−１７３８６１号公報
【発明の開示】
【発明が解決しようとする課題】
【０００４】
だが、特許文献１に記載された照明装置は、図４に示した収納装置には適さない。
【０００５】
図４に示した収納装置１１は、厨房装置１２、洗面化粧台などの上方にウォールキャビネットなどとして設置される収納装置であり、下方に開口する箱体１３を備え、食器、洗面用具などを水に濡れた状態において収納可能とした水切り棚１４が箱体１３に対して昇降自在に配設されたものである。水切り棚１４は、下降時には、厨房装置１２、洗面化粧台などの後方上部において作業者の手の届く位置に配置され、シンク１５、洗面ボウルなどで洗い、すすいだ後の食器、洗面用具などを水に濡れたままの状態で収納することができる。食器、洗面用具などは乾燥後、収納状態のまま水切り棚１４を上昇させることにより、箱体１３の内部にしまうことができる。水切り棚１４の昇降は手動または電動で行われる。
【０００６】
また、収納装置１１には、水切り棚１４の底部に排水部１６が設けられ、収納した食器、洗面用具などに付着した水を流下させて排水部１６に導き、水受けトレー１７で受けるようにしている。水受けトレー１７は排水部１６に設けられており、前方への引き出しが自在とされている。水受けトレー１７に溜まった水は、水受けトレー１７を排水部１６から引き出し、取り外すことによって、シンク１５、洗面ボウルなどに排出することができる。
【０００７】
このような図４に示した収納装置１１に特許文献１に記載された照明装置を適用する場合、照明装置は水切り棚１４の底板１８に取り付けられることになるが、水切り棚１４は底部に排水部１６を有しているため、照明装置に水濡れの危険がある。また、照明装置は、水切り棚１４の下降時に、厨房装置１２、洗面化粧台などのカウンタートップ１９にかなり接近するため、照明効果が局所的となり、照明装置の下方のカウンタートップ１９を均一に照らしにくくなる。さらに、照明装置は、収納装置１１の底部においてかなり下方に突出することになり、厨房装置１２、洗面化粧台などの上方に広がりを持たせることができず、圧迫感を与えてしまい、印象が悪い。
【０００８】
本願発明は、このような事情に鑑みてなされたものであり、照明装置の水濡れの危険がなく、照明装置により下方のカウンタートップを均一に照らすことができ、照明装置が配設されていても圧迫感を与えることのない収納装置を提供することを課題としている。
【課題を解決するための手段】
【０００９】
本願発明は、上記の課題を解決するために、第１に、下方に開口する箱体に対して昇降自在とされ、上昇により箱体内部に収納される水切り棚を備え、水切り棚は底部に排水部を有し、排水部に水受けトレーが前方に引き出し自在に設けられた収納装置において、排水部の水切りに関与しないスペースに下方を照らす照明装置が内蔵されていることを特徴としている。
【００１０】
本願発明は、第２に、照明装置はスポット照明装置であり、その複数が排水部に組み込まれていることを特徴としている。
【００１１】
本願発明は、第３に、スポット照明装置はＬＥＤ照明装置であることを特徴としている。
【発明の効果】
【００１２】
本願の第１の発明によれば、照明装置は、昇降自在な水切り棚の底部に設けられた排水部において水切りに関与しないスペースに内蔵されているため、水に濡れた食器、洗面用具などをそのまま収納し、水切りを行っても水に濡れることはなく、安全である。排水部において水切りに関与しないスペースはデッドスペースであったが、照明装置の内蔵によりデッドスペースの有効利用が図れる。また、水切り棚を下降させても、照明装置が必要以上に厨房装置、洗面化粧台などのカウンタートップに接近することはなく、下方のカウンタートップを均一に照らすことができる。そして、厨房装置、洗面化粧台などの上方に広がりを持たせることができ、圧迫感を与えない。
【００１３】
本願の第２の発明によれば、照明装置から発せられる光が拡散することなく、十分な照度でカウンタートップを照らすことができる。スポット照明装置の複数の配設により下方のカウンタートップを均一に照らすことができる。
【００１４】
本願の第３の発明によれば、ＬＥＤ照明装置はコンパクトサイズであり、排水部の厚みに影響を与えない。また、ＬＥＤ照明装置は指向性が高いため、より十分な照明効果が得られ、カウンタートップを高い照度で照らすことができる。さらに、ＬＥＤ照明装置は省電力型の照明装置であり、ランニングコストを低く抑えるのに有効となる。
【発明を実施するための最良の形態】
【００１５】
図１は、本願発明の収納装置の一実施形態を示した要部断面図である。図２は、排水部を示した斜視図である。
【００１６】
図１に示した収納装置１は、図４に示した、下方に開口する箱体１３を備え、箱体１３に対して水切り棚１４を昇降自在に備えた収納装置１１を前提としている。
【００１７】
すなわち、収納装置１は、厨房装置、洗面化粧台などの上方にウォールキャビネットなどとして設置されるものである。水切り棚１４は、下降時に、厨房装置、洗面化粧台などの後方上部において作業者の手の届く位置に配置され、シンク、洗面ボウルなどで洗い、すすいだ食器、洗面用具などを水に濡れたままの状態で収納することができる。食器、洗面用具などは乾燥後、収納状態のまま水切り棚１４を上昇させることにより、箱体の内部にしまうことができる。水切り棚１４の昇降は手動または電動で行われる。
【００１８】
収納装置１には、水切り棚１４の底部に排水部１６が設けられている。排水部１６には、上部に、複数の孔が形成され、格子状とされた水切りプレート２が設けられている。水切りプレート２には水に濡れた食器、洗面用具などを直に載せることができる。水切りプレート２の下側には、周縁部から内側に向かってなだらかに下方に傾斜する流水ガイド３が設けられている。流水ガイド３には、中央部からやや前方に上下に貫通する開口４が形成され、開口４は、排水部１６の底部に前方に引き出し自在に設けられた水受けトレー１７の上端に臨んでいる。水受けトレー１７は、上方に開口する器状の部材であり、内部が開口４に連通している。したがって、水切り棚１４に収納された食器、洗面用具などに付着していた水は、時間の経過とともに、水切りプレート２、そして水切りプレート２の孔を通じて流水ガイド３に落ちた後、流水ガイド３に沿って下方に流れ、開口４から水受けトレー１７の内部に移る。水がある程度の量溜まった時、水受けトレー１７を前方に引き出し、取り外して、シンク、洗面ボウルなどへ排出する。
【００１９】
なお、水受けトレー１７の前板部５は、水受けトレー１７を排水部１６に収納した時、図２にも示したように、排水部１６の前面部６とほぼ面一に配置され、見栄えのよい外観が形成されるようにしている。また、図２に示したように、水切り棚１４の底板１８には、水切り棚１４に通風し、食器、洗面用具などの乾燥を効果的に行えるように、吸気口７および排気口８を上下に貫通して設けている。
【００２０】
そして、図１に示したように、収納装置１では、排水部１６において水切りに関与しないスペースに下方を照らす照明装置９が内蔵されている。水切りに関与しないスペースとは、具体的には、排水部１６において、図１および図２に示した水受けトレー１７、吸気口７および排気口８を除いた領域である。
【００２１】
このように、照明装置９は、排水部１６の水切りに関与しないスペースに内蔵されているため、水に濡れた食器、洗面用具などをそのまま水切り棚１４に収納し、水切りを行っても水に濡れることはなく、安全である。排水部１６において水切りに関与しないスペースはデッドスペースであったが、照明装置９の内蔵によりデッドスペースの有効利用が図れる。また、水切り棚１４を下降させても、照明装置９は排水部１６に内蔵されているため、照明装置９が必要以上に厨房装置、洗面化粧台などのカウンタートップに接近することはなく、下方のカウンタートップを均一に照らすことができる。さらに、厨房装置、洗面化粧台などの上方に広がりを持たせることができ、圧迫感を与えることはない。また、照明装置９の下面を水切り棚１４の底板１８の下面と面一にすることができ、見栄えがよく、掃除・メンテナンスを行いやすい。
【００２２】
照明装置９は、排水部１６の内部に納まるものであれば特に制限されない。蛍光灯をはじめとする各種のものを採用することができる。中でもスポット照明装置は、照明装置９として好ましい。光の拡散が抑えられ、下方のカウンタートップを十分な照度で照らすことができるからである。なお、スポット照明装置を照明装置９に採用する場合には、照明装置９を図１に示したように排水部１６において水切りに関与しないスペースに複数個設け、カウンタートップを均一に照らすことができるようにする。
【００２３】
このようなスポット照明装置としてはＬＥＤ照明装置が好適である。ＬＥＤ照明装置はコンパクトサイズであるため、排水部１６の厚みに影響を与えない。排水部１６の厚みを必要最小限にまで減じることができる。また、ＬＥＤ照明装置は指向性が高いため、より十分な照明効果が得られ、カウンタートップを高い照度で照らすことができる。さらに、ＬＥＤ照明装置は省電力型の照明装置であり、ランニングコストを低く抑えるのに有効でもある。
【００２４】
図３は、排水部の水切りに関与しないスペースにＬＥＤ照明装置を内蔵した昇降自在な水切り棚を備えた収納装置を示した要部斜視図である。ＬＥＤ照明装置１０は、水切トレー１７をよけて排水部１６の前側の左右に１個ずつ、後側に１個配設されている。排水部１６の厚みが十分薄く抑えられている。そして、厨房装置の上方に広がりがありながら、ＬＥＤ照明装置１０が十分な照度で下方を照らしている。照明装置９の下面は水切り棚１４の底板１８の下面と面一であり、見栄えがよく、掃除・メンテナンスが行いやすくなっている。
【図面の簡単な説明】
【００２５】
【図１】本願発明の収納装置の一実施形態を示した要部断面図である。
【図２】排水部を示した斜視図である。
【図３】排水部の水切りに関与しないスペースにＬＥＤ照明装置を内蔵した昇降自在な水切り棚を備えた収納装置を示した要部斜視図である。
【図４】本願発明の収納装置が前提とする収納装置を厨房装置とともに示した斜視図である。
【符号の説明】
【００２６】
１    収納装置
２    水切りプレート
３    流水ガイド
４    開口
５    前板部
６    前面部
７    吸気口
８    排気口
９    照明装置
１０    ＬＥＤ照明装置
１１    収納装置
１２    厨房装置
１３    箱体
１４    水切り棚
１５    シンク
１６    排水部
１７    水受けトレー
１８    底板
１９    カウンタートップ
【図１】
2007167398.tif 000003
【図２】
2007167398.tif 000004
【図３】
2007167398.tif 000005
【図４】
2007167398.tif 000006